(57)【要約】【課題】  シンプルな形状のみで、健常者から高齢者や腰の悪い人に楽にプラグの抜き差しが出来ると共に机やテーブル下に於いてはスリッパ感覚で足先で手が楽に届く位置に移動させ抜き差しが出来る強力なユニバーサルデザイン機能を持つ足元テーブルタップを提供する。【解決手段】  所定の厚みを持ち水平方向に広がりのある安定して本体を支える板である、安定板１と安定板の左右両縁部付近から所定の厚みを持ち表面が平面や曲面の形状を特徴とし全体がベルト状の、ベルト体２と安定板とベルト体とで環状に囲まれて形成される足のつま先部分が程良く入るべくサイズの、空間部３とベルト体の外側表面に設けた１又は複数箇所の、コンセント部４とそれぞれのコンセント部へと電気を導き入れる、内部配線５と電気を内部配線へと導き入れる、コード６とその先端に設けた、プラグ７を特徴とする。【選択図】図７
2015043312.tif 000002
【特許請求の範囲】
【請求項１】
所定の厚みを持ち水平方向に広がりのある安定して本体を支える板である、安定板（１）と、中に中空部（１６）を有する所定の厚みを持ち、安定板の左右両縁付近から安定板とで環状になるように繋げて設けた板である、ベルト体（２）と安定板とベルト体とで環状に囲まれて形成される、足のつま先部分が程良く入るサイズの空間である、空間部（３）とベルト体の外側表面に設けた１又は複数箇所のコンセントである、コンセント部（４）とそれぞれのコンセント部から繋いで設けた電気を導き入れる電導体である、内部配線（５）と本体の外部で本体の内部配線へと電気を導き入れる電導体である、コード（６）とコードの先端に設けた、プラグ（７）から成る足元テーブルタップ。
【請求項２】
安定板（１）とベルト体（２）とで環状に囲まれて形成される、空間部（３）の２方向の出口のいずれか一方を塞ぐ格好で、安定板（１）とベルト体（２）から連続させて、片側遮蔽体（１７）を設け、一体化した、ベルト体（２）と片側遮蔽体（１７）の表面にコンセント部（４）を設けることを特徴とした請求項１記載の足元テーブルタップ。
【請求項３】
ベルト体（２）内側の空間部上方で足の甲が当たる縁の部分に足の甲で引っ掛けて摩擦力で滑ることなく本体を吊り下げることが出来る凸状の縁である、足引っ掛け縁部（１８）をベルト体から内側に突出させて設けた請求項２記載の足元テーブルタップ。
【請求項４】
本発明の製作に係る構造を、安定板（１）とベルト体（２）で形成される外被の塊である自立構造体を図に於いて正面側と背面側に２分割した塊である、正面側ボディー（８）と背面側ボディー（９）とで設け、ボルトやビス等の、連結手段（１１）でそれらの２つの塊を組立分解自在に固定して設けた請求項１記載の足元テーブルタップ。
【請求項５】
本発明の製作に係る構造を、正面側ボディー（８）と背面側ボディー（９）のそれぞれのボディーに挟まれる表面付近の空間に於いて、外周表面に噛み合わせ形状（１５）を持たせたコンセント部（４）を持つ塊である、コンセントキューブ（１０）を当該キューブとの噛み合わせ形状（１５）を内側表面に持つ正面側ボディー（８）と背面側ボディー（９）で双方から挟み込んでボルトやビス等の、連結手段（１１）で組立分解自在に固定して設けた請求項１又は４記載の足元テーブルタップ。
【請求項６】
足がスリッパ履きの状態でスムーズに使用できるべく安定板（１）表面を平らとし、ベルト体（２）の安定板（１）との接続部分付近の内側の形状をスリッパ表面の形状に合わせたＤ形断面形状とした請求項１又は２又は３又は４又は５記載の足元テーブルタップ。
【請求項７】
コード（６）と反対側のベルト体（２）の一部が、歩行中誤って本発明に足を引っ掛けた際に緊急に外れるようにした、所定の繋止力で着脱自在に繋がる、歩行安全機構（１４）を設けた請求項１又は２又は３又は４又は５又は６記載の足元テーブルタップ。
【請求項８】
安定板（１）とベルト体（２）の足先方向の幅をほぼ同じで設けた請求項１又は４又は５又は６又は７記載の足元テーブルタップ。
【請求項９】
ベルト体（２）又は、ベルト体（２）と片側遮蔽体（１７）の表面にスイッチ部（１２）と、本体内部にそれと対応した内部配線（５）を設け、コンセント部（４）への電気の供給をオン、オフ出来るようにした請求項１又は２又は３又は４又は５又は６又は７又は８記載の足元テーブルタップ。
【請求項１０】
ベルト体（２）又は、ベルト体（２）と片側遮蔽体（１７）の表面に避雷器と、本体内部にそれと対応した内部配線（５）を設けた請求項１又は２又は３又は４又は５又は６又は７又は８又は９記載の足元テーブルタップ。
【発明の詳細な説明】
【技術分野】
【０００１】  この発明は、環状をした本体の空間部に足のつま先を入れ、安定板を押えて楽にプラグの抜き差しが出来ると共に机等に座ったままで足のつま先で位置の移動が出来る足元テーブルタップに関するものである。
【背景技術】
【０００２】  従来、部屋のコンセントから離れた場所での家電製品の使用は部屋のコンセントから延長されたテーブルタップのコンセントに家電製品のプラグを差し込んで行われてきた。
テーブルタップに於けるプラグの抜き差しを楽にする技術はテーブルタップのコンセント部に小さいてこを設けた製品が開発された。
【先行技術文献】
【０００３】
【特許文献１】
【非特許文献１】
【発明の概要】
【発明が解決しようとする課題】
【０００４】  日常テーブルタップを使う時、テーブルタップは床にあることが多く、かがんで両手を使いプラグの取り外しをする為疲れることが多い。
また、机やテーブルの下にテーブルタップが置かれることが多い為、奥の方にいってしまったテーブルタップのプラグの抜き差しは机やテーブルの下にもぐる恰好で行われることとなり二重に疲れることになる。
本発明は片足と片手を楽に使うシンプルな形状のみで、健常者から高齢者や腰の悪い人に楽にプラグの抜き差しが出来、机やテーブル下にある場合は足先で手が楽に届く位置に移動させて抜き差し出来る、強力なユニバーサルデザイン機能を特徴とした、スリッパ感覚の足元テーブルタップを提供するものである。
【課題を解決するための手段】
【０００５】  所定の厚みを持ち水平方向に広がりのある安定して本体を支える板である、安定板（１）と、中に中空部（１６）を有する所定の厚みを持ち、安定板の左右両縁付近から安定板とで環状になるように繋げて設けた板である、ベルト体（２）と安定板とベルト体とで環状に囲まれて形成される、足のつま先部分が程良く入るサイズの空間である、空間部（３）とベルト体の外側表面に設けた１又は複数箇所のコンセントである、コンセント部（４）とそれぞれのコンセント部から繋いで設けた電気を導き入れる電導体である、内部配線（５）と本体の外部で本体の内部配線へと電気を導き入れる電導体である、コード（６）とコードの先端に設けた、プラグ（７）から成る請求項１記載の足元テーブルタップ。【０００６】  安定板（１）とベルト体（２）とで環状に囲まれて形成される、空間部（３）の２方向の出口のいずれか一方を塞ぐ格好で、安定板（１）とベルト体（２）から連続させて、片側遮蔽体（１７）を設け、一体化した、ベルト体（２）と片側遮蔽体（１７）の表面にコンセント部（４）を設けることを特徴とした請求項２記載の足元テーブルタップ。【０００７】  ベルト体（２）内側の空間部上方で足の甲が当たる縁の部分に足の甲で引っ掛けて摩擦力で滑ることなく本体を吊り下げることが出来る凸状の縁である、足引っ掛け縁部（１８）をベルト体から内側に突出させて設けた請求項３記載の足元テーブルタップ。【０００８】  本発明の製作に係る構造を、安定板（１）とベルト体（２）で形成される外被の塊である自立構造体を図に於いて正面側と背面側に２分割した塊である、正面側ボディー（８）と背面側ボディー（９）とで設け、ボルトやビス等の、連結手段（１１）でそれらの２つの塊を組立分解自在に固定して設けた請求項４記載の足元テーブルタップ。【０００９】  本発明の製作に係る構造を、正面側ボディー（８）と背面側ボディー（９）のそれぞれのボディーに挟まれる表面付近の空間に於いて、外周表面に噛み合わせ形状（１５）を持たせたコンセント部（４）を持つ塊である、コンセントキューブ（１０）を当該キューブとの噛み合わせ形状（１５）を内側表面に持つ正面側ボディー（８）と背面側ボディー（９）で双方から挟み込んでボルトやビス等の、連結手段（１１）で組立分解自在に固定して設けた請求項５記載の足元テーブルタップ。【００１０】  足がスリッパ履きの状態でスムーズに使用できるべく安定板（１）表面を平らとし、ベルト体（２）の安定板（１）との接続部分付近の内側の形状をスリッパ表面の形状に合わせたＤ形断面形状とした請求項６記載の足元テーブルタップ。【００１１】  コード（６）と反対側のベルト体（２）の一部が、歩行中誤って本発明に足を引っ掛けた際に緊急に外れるようにした、所定の繋止力で着脱自在に繋がる、歩行安全機構（１４）を設けた請求項７記載の足元テーブルタップ。【００１２】  安定板（１）とベルト体（２）の足先方向の幅をほぼ同じで設けた請求項８記載の足元テーブルタップ。【００１３】  ベルト体（２）又は、ベルト体（２）と片側遮蔽体（１７）の表面にスイッチ部（１２）と、本体内部にそれと対応した内部配線（５）を設け、コンセント部（４）への電気の供給をオン、オフ出来るようにした請求項９記載の足元テーブルタップ。【００１４】  ベルト体（２）又は、ベルト体（２）と片側遮蔽体（１７）の表面に避雷器と、本体内部にそれと対応した内部配線（５）を設けた請求項１０記載の足元テーブルタップ。【００１５】  本発明は以上の１０項の構成から成る、足元テーブルタップである。
【発明の効果】
【００１６】  本発明は片足と片手を効率的に使うシンプルな形状のみで、健常者から高齢者や腰の悪い人に楽にプラグの抜き差しが出来ると共に机やテーブル下にある場合、足先で手が楽に届く位置に移動させ抜き差しが出来る、強力なユニバーサルデザイン効果を特徴とする、スリッパ感覚の足元テーブルタップを提供するものである。
様々な状況に於いて楽な体の使い方でプラグの抜き差しが出来、汎用性に優れる。
実施例１の本発明はアーチ形のテーブルタップ表面を持つ為、設置されるプラグとプラグの間の空間が拡がる為、プラグの密集を緩和し、手でプラグを掴みやすい効果があり、また、曲面により、本発明の使用感を滑らかにし、美感を向上させる。共に本発明の効果を的確にする。
実施例２の本発明は上記の実施例１と同様の効果に加え、パソコンとその周辺機器のプラグをまとめるＯＡタップとしてオフイスや家庭のパソコンデスク廻りに於いて便利である。
実施例２では、スイッチを中央に配置し、手前側に通常のコンセントを、向こう側に恒常的使用が予想されるアース付きコンセントを配置した使い易い構造を特徴とし、本発明の効果を的確にする。
実施例３の本発明は上記の実施例１と同様の効果に加え、本発明固有の立体形状に即した合理的な製作構造を持つ。
金型成形に於いても合理的な構造を持つ。
実施例４の本発明は上記の実施例１又は２又は３と同様の効果に加え、使用者の歩行の安全を守り、安心を与える効果がある。
【図面の簡単な説明】
【００１７】
【図１】  本発明の使用状態を示す説明図である。
【図２】  実施例１に係る本発明の斜視図である。
【図３】  実施例２に係る本発明の斜視図である。
【図４】  実施例２に係る本発明の平面図である。
【図５】  実施例２に係る本発明のプラグ部分の斜視図である。
【図６】  実施例２に係る本発明のＡ−Ａ視断面図である。内部機構は図を省略した。
【図７】  実施例３に係る本発明の斜視図である。
【図８】  実施例３に係る本発明の平面図である。
【図９】  実施例３に係る本発明のＢ−Ｂ視断面図である。内部機構は図を省略した。
【図１０】  実施例４に係る本発明の斜視図である。
【図１１】  実施例４に係る本発明の歩行安全機構部分の説明断面図である。コンセント部、スイッチ部、内部機構は図を省略した。
【発明を実施するための形態】
【００１８】  所定の厚みを持ち水平方向に広がりのある安定して本体を支える板である、安定板（１）と、中に中空部（１６）を有する所定の厚みを持ち、安定板の左右両縁付近から安定板とで環状になるように繋げて設けた板である、ベルト体（２）と安定板とベルト体とで環状に囲まれて形成される、足のつま先部分が程良く入るサイズの空間である、空間部（３）とベルト体の外側表面に設けた１又は複数箇所のコンセントである、コンセント部（４）とそれぞれのコンセント部から繋いで設けた電気を導き入れる電導体である、内部配線（５）と本体の外部で本体の内部配線へと電気を導き入れる電導体である、コード（６）とコードの先端に設けた、プラグ（７）から構成されることを主要な特徴とする。
また、この構成の発展形として、安定板（１）とベルト体（２）とで環状に囲まれて形成される、空間部（３）の２方向の出口のいずれか一方を塞ぐ格好で、安定板（１）とベルト体（２）から連続させて片側遮蔽体（１７）を設け、一体化したベルト体と片側遮蔽体の表面にコンセント部（４）を設けることを特徴とした足元テーブルタップを構成する。
【実施例】
【実施例１】
【００１９】  図２は、本発明の実施例１に係る足元テーブルタップを示す図面であり、図２は斜視図である。
所定の厚みを持ち水平方向に広がりのある安定して本体を支える板である、安定板（１）と、中に配線等目的の中空部（１６）を有する所定の厚みと平面や曲面の表面を持ち、安定板の左右両縁付近から安定板とで環状になるように繋げて設けたベルト状の、ベルト体（２）と、安定板とベルト体とで環状に囲まれて形成される、足のつま先部分が程良く入るサイズの空間である、空間部（３）と、ベルト体の外側表面に設けた１又は複数箇所のコンセントである、コンセント部（４）と、それぞれのコンセント部から繋いで設けた電気を導き入れる電導体である、内部配線（５）と、本体の外部で本体の内部配線へと電気を導き入れる電導体である、コード（６）と、コードの先端に設けた、プラグ（７）から構成される。
実施例１の形状はベルト体（２）を安定板（１）の左右両縁付近から繋げて所定の厚みを持つアーチ形曲面状にした点を特徴としている。
実施例１の本発明はアーチ形のテーブルタップ表面を持つ為、設置されるプラグとプラグの空間が外側の方が拡がる為、プラグの密集を緩和し手でプラグを掴みやすい効果があり本発明の効果を的確にする。
また、このアーチ形をしたベルト体の内側曲面により、足と接触する本発明の使用感を滑らかなものとする。これらのアーチ形は意匠的にも美感を向上させる効果を持つ。【００２０】  図に於いて（１）は、安定板である。
所定の厚みを持たせた無垢の板であり、平面形状は正面、背面共に接するベルト体付け根のコーナー付近を結ぶ外方向の滑らかな曲線により切り取られた形の、上部構造を倒れにくく安定して支えるべく広がりのある平面形状で設けている。
材質はプラスチックを使用し、ベルト体と一体化した一体成形を基本に設けている。
図に於いて（２）は、ベルト体である。
安定板（１）の左右両縁部から底板部と環状に繋がり、足のつま先部分が楽に出し入れ出来る所定の厚みを持った帯状の板であり、アーチ形のベルト体により環状に設ける構成としている。
当該ベルト体（２）は板の中に中空部（１６）を設けた、軽量で電気配線を通しやすい箱状の構造で設けている。
材質はプラスチックを使用し、安定板（１）と一体化した一体成形を基本に設けている。
ベルト体の形状は実施例１では滑らかな曲面のアーチ形を特徴としているが、この他平面の組み合わせによる門形の環状体でもよい。（図示せず）
図に於いて（３）は、空間部である。
環状に繋がった安定板（１）とベルト体（２）とで形成される囲まれた空間部分であり、足のつま先が楽に出し入れ出来る所定の大きさを持たせている。
図に於いて（４）は、コンセント部である。
ベルト体（２）の外側の表面に複数箇所設けた、プラグを差し込むコンセントである。
（５）は、内部配線である。図では内部機構を省略した為、内部配線の図も省略した。
各コンセント部（４）からコード（６）へと繋がる本体内部の電気配線であり、箱状の構造を持つベルト体（２）の板厚内の空間である中空部（１６）に通して設けられている。
図に於いて（６）は、コードである。
本体内部の内部配線（５）とプラグ（７）を結ぶ所定の長さの電気配線コードである。
図に於いて（７）は、プラグである。
コード（６）の先端に設けられた差し込みプラグである。
本発明は片足と片手を楽に使うシンプルな形状のみで、健常者から高齢者や腰の悪い人に楽にプラグの抜き差しが出来ると共に机やテーブル下にある場合、スリッパ感覚で足先で手が楽に届く位置に移動させ抜き差しが出来る強力なユニバーサルデザイン効果を特徴とする。
様々な状況に於いて効率的な体の使い方でプラグの抜き差しができ、使用が楽で汎用性に優れる。
【実施例２】
【００２１】  図３〜図６は、本発明の実施例２に係る足元テーブルタップを示す図面であり、図３は斜視図、図４は平面図、図５は図３で表しきれなかったプラグ部分の斜視図、図６は断面図である。
実施例２は実施例１とほぼ同じ構造であるが、安定板（１）とベルト体（２）とで環状に囲まれて形成される、空間部（３）の２方向の出口のいずれか一方を塞ぐ格好で、安定板（１）とベルト体（２）から連続させて、片側遮蔽体（１７）を設け、一体化した、ベルト体（２）と片側遮蔽体（１７）の表面にコンセント部（４）を設けることを特徴としている。
実施例２の本発明は実施例１と同様、健常者からお年寄りや腰の弱い人まで、楽にプラグの抜き差しが出来るユニバーサルデザイン機能、効果を特徴とする。
実施例２はパソコンとその周辺機器のプラグをまとめるＯＡタップとしてオフイスや家庭のパソコンデスク廻りに於いて便利である。
実施例では、スイッチを中央に配置し、手前側に通常のコンセントを、向こう側に恒常的使用が予想されるアース付きコンセントを配置した使い易い構造を特徴としている。【００２２】  図に於いて（１８）は足引っ掛け縁部である。
ベルト体（２）内側の空間部上方で足の甲が当たる縁の部分に足の甲で引っ掛けて摩擦力で滑ることなく本体を吊り下げることが出来る凸状の縁をベルト体から内側に突出させて設けている。
【実施例３】
【００２３】  図７〜図９は、本発明の実施例３に係る足元テーブルタップを示す図面であり、図７は斜視図、図８は平面図、図９は断面図である。
実施例３は実施例１とほぼ同じ構成であるが、本発明の製作に係る構造を、安定板（１）とベルト体（２）で形成される外被の塊である自立構造体を図に於いて正面側と背面側に２分割した塊である、正面側ボディー（８）と背面側ボディー（９）とで設け、ボルトやビス等の、連結手段（１１）でそれらの２つの塊を組立分解自在に固定して設けることを特徴としている。
また、本発明の製作に係る構造を、正面側ボディー（８）と背面側ボディー（９）のそれぞれのボディーに挟まれる表面付近の空間に於いて、外周表面に噛み合わせ形状（１５）を持たせたコンセント部（４）を持つ塊である、コンセントキューブ（１０）を当該キューブとの噛み合わせ形状（１５）を内側表面に持つ正面側ボディー（８）と背面側ボディー（９）で双方から挟み込んでボルトやビス等の、連結手段（１１）で組立分解自在に固定して設けることを特徴としている。【００２４】  図に於いて（８）は正面側ボディーである。
一体成形により製作される、安定板（１）とベルト体（２）から成る本体の塊をベルト体の稜線部分で正面側と背面側に２分割した正面側の塊である。
背面側ボディーと接する正面側ボディーの面は組み立てた際のズレを防ぐ為、微小な凹凸の噛み合わせ形状を備えている。（全ては図示せず）
また、正面側ボディーは、背面側ボディーとの間に挟み込むコンセントキューブ（１０）の外周表面と対応した噛み合わせ形状（１５）を内周表面に備えている。
材質はプラスチックを使用している。
図に於いて（９）は背面側ボディーである。
一体成形により製作される、安定板（１）とベルト体（２）から成る本体の塊を正面側と背面側に２分割した背面側の塊である。
正面側ボディーと接する背面側ボディーの面は組み立てた際のズレを防ぐ為、微小な凹凸の噛み合わせ形状を備えている。（全ては図示せず）
また、背面側ボディーは、正面側ボディーとの間に挟み込むコンセントキューブ（１０）の外周表面と対応した噛み合わせ形状（１５）を内周表面に備えている。
材質はプラスチックを使用している。
図に於いて１０はコンセントキューブである。
内部配線（５）を含む内部機構の一部と繋がる、表面にコンセント部（４）を持つ塊である。
コンセントキューブ（１０）を当該キューブとの噛み合わせ形状を持つ正面側ボディー（８）と背面側ボディー（９）で双方から挟み込んでボルトやビス等の、連結手段（１１）で組立分解自在に固定するように設けている。
実施例３の本発明は本発明固有の立体形状に即した合理的な製作構造を持つ。
金型成形に於いても合理的な構造を持つ。
また、簡単に組立、分解が出来るメンテナンスしやすい効果があり便利である。
これらは本発明の効果を的確にする。
【実施例４】
【００２５】  図１０及び図１１は、本発明の実施例４に係る足元テーブルタップを示す図面であり、図１０は斜視図、図１１は歩行安全機構部分の説明断面図である。
実施例４は実施例１〜実施例３とほぼ同じ構成であるが、コード（６）と反対側のベルト体（２）の一部が、歩行中誤って本発明に足を引っ掛けた際に緊急に外れるようにした、所定の繋止力で着脱自在に繋がる、歩行安全機構（１４）を設けた点に特徴がある。【００２６】  （１４）は歩行安全機構である。
希に、歩行中に本発明の持つ環状構造に足を引っ掛け、転倒してしまう危険が予想されるが、その危険を回避するための仕掛けを自ら持たせたものである。
実施例４では、コード（６）と反対側のベルト体（２）の一部が所定の外力以上の力が掛かった場合に外側に外れる恰好で、構造上はベルト体（２）及び安定板（１）と独立した塊で設け、図１１に示すような、所定の抜き角度（１９）と上面、下面の両方に設けた複数箇所の緩やかな、噛み合わせ形状（１５）により外側から嵌め込んで所定の繋止力で着脱自在に繋がる。
歩行安全機構部分を欠き取られた、プラスチックを素材とする本体形状は歩行安全機構と反対側を接点とするベルト体（２）と安定板（１）の剛構造になり全体がおおむね構造的に安定し、若干の弾性変形は歩行安全機構部分の挟み込み力に利用する。【００２７】  次に本発明の使い方を説明する。
図１に示すように、本発明の足元テーブルタップは、空間部（３）にスリッパのような感覚で足のつま先を入れて安定板（１）を押さえつけてコンセント部（４）に於いてプラグの抜き差しを行う。
また、本発明が机やテーブルの下にある場合、足先を空間部（３）に入れて手が楽に届く位置に移動させてプラグの抜き差しを行う。
実施例２に示すようなタイプの本発明も同様に使用する。
【産業上の利用可能性】
【００２８】  本発明は健常者からお年寄りや腰の弱い人まで、楽にプラグの抜き差しが出来るユニバーサルデザイン機能を特徴とするテーブルタップ表面形状に関する技術であり、一般家庭やオフイスのパソコンデスク廻りに於いて利用される可能性が高い。
通常の家庭用テーブルタップからパソコンとその周辺機器のプラグをまとめるＯＡタップまで、今後のテーブルタップ内部機構の進化発展と共に存在し続ける普遍性のある形状を提供する。
【符号の説明】
【００２９】  １  安定板
２  ベルト体
３  空間部
４  コンセント部
５  内部配線
６  コード
７  プラグ
８  正面側ボディー
９  背面側ボディー
１０  コンセントキューブ
１１  連結手段
１２  スイッチ部
１３  アース線部
１４  歩行安全機構
１５  噛み合わせ形状
１６  中空部
１７  片側遮蔽体
１８  足引っ掛け縁部
１９  所定の抜き角度
【図１】
2015043312.tif 000003
【図２】
2015043312.tif 000004
【図３】
2015043312.tif 000005
【図４】
2015043312.tif 000006
【図５】
2015043312.tif 000007
【図６】
2015043312.tif 000008
【図７】
2015043312.tif 000009
【図８】
2015043312.tif 000010
【図９】
2015043312.tif 000011
【図１０】
2015043312.tif 000012
【図１１】
2015043312.tif 000013